(57)【要約】  モジュール底部近傍に配置した空気入口及びモジュール上部近傍に配置した空気出口；そこから垂直に延伸する複数の円錐太陽熱集熱器を有する、後部フィルム；並びに入口と出口との間で空気が漏れるのを防ぐために集熱器と接触する、前部フィルムを含む、太陽熱空気暖房モジュールを提供し、ここで空気は入口に入ると、集熱器を通過して加熱された空気と混合され、その後出口に達する。集熱器は太陽熱空気暖房モジュール内で可動である。代替として、集熱器を整列させてよく、ここで各集熱器は隣接する集熱器にプレート又はストラップで固定され、これにより、モジュールを保管時に折り畳む又は巻き上げることができるようになっている。【選択図】図２
2014513262.tif 000002
【特許請求の範囲】
【請求項１】
整列された一連の太陽輻射吸収集熱器；
太陽に対面する第１の側にある前部透明フィルムと、これに対向する第２の側にある後部フィルムとの間に格納された集熱器；
前記整列された集熱器それぞれの縁部と接触する前記前部フィルム及び前記後部フィルムであって、前記集熱器は前記前部フィルム及び前記後部フィルムによって画定される前記格納部分内で可動である、前記前部フィルム及び前記後部フィルム；
（ここで空気インレットを通って入る空気流は前記前部フィルムと前記後部フィルムとの間の前記集熱器を通過し、前記空気流は各前記集熱器の前記第１の側の輻射吸収表面上の空気と混合され、前記混合された加熱された空気を隣接する前記集熱器へと運ぶ）；並びに
前記空気流を加熱される空間へと流すための空気アウトレット
を備える、太陽熱空気暖房装置。
【請求項２】
前記集熱器を回転させて太陽に対面させるために、歯車アセンブリを更に備える、請求項１に記載の太陽熱空気暖房装置。
【請求項３】
前記前部フィルム及び前記後部フィルムは、可撓性である、請求項１に記載の太陽熱空気暖房装置。
【請求項４】
前記前部フィルム及び前記後部フィルムは、前記太陽熱集熱器を所定の位置に整列させて維持するための突出部を有する、請求項１に記載の太陽熱空気暖房装置。
【請求項５】
前記集熱器は、前記後部フィルムの表面に形成又は成形された複数の円錐突出部である、請求項１に記載の太陽熱空気暖房装置。
【請求項６】
各前記集熱器は、太陽に対面する一連の先細フィンを有し、
前記先細フィンは、側壁表面領域を有し、
前記先細フィンは、スロットを有し、これにより前記集熱器を通して空気を移動させ、加熱された前記空気を集めることができる、請求項１に記載の太陽熱空気暖房装置。
【請求項７】
各前記集熱器は、概ね円筒形である、請求項４に記載の太陽熱空気暖房装置。
【請求項８】
前記集熱器の形状は、半円形に形成した薄い材料であり、
前記集熱器は、穿孔を有し、これにより前記集熱器を通して空気を移動させることができる、請求項１に記載の太陽熱空気暖房装置。
【請求項９】
前記集熱器は、概ね平坦であってよく、
前記集熱器は、開口を有し、これにより前記集熱器を通して空気を移動させることができ、
前記前部フィルム及び後部フィルムに対する前記集熱器の角度に関わらず、前記前部フィルム及び前記後部フィルムが前記集熱器と接触できるように、前記後部フィルムから前記前部フィルムまでの間隔を調整できる、請求項１に記載の太陽熱空気暖房装置。
【請求項１０】
太陽輻射に対面する前記集熱器の表面は、先細側部を有する一連の先細フィンを有する、請求項９に記載の太陽熱空気暖房装置。
【請求項１１】
前記集熱器は前記後部フィルムに取り付けられ、前記後部フィルム平面上で枢動する、請求項９に記載の太陽熱空気暖房装置。
【請求項１２】
前記集熱器は円筒形であり、
前記集熱器は、前記集熱器の長手方向軸上に、離間した複数の先細フィンを有し、これにより前記フィンと前記前部フィルム及び前記後部フィルムとの間の各前記集熱器を通して空気を移動させることができる、請求項１に記載の太陽熱空気暖房装置。
【請求項１３】
前記集熱器は垂直方向に垂直に配設され、
太陽輻射に対する前記集熱器の前記長手方向軸の配向について前記集熱器を同時に調整できるよう、各前記集熱器を隣接する前記集熱器と機械的に接続する、請求項１に記載の太陽熱空気暖房装置。
【請求項１４】
太陽に対する角度について前記集熱器を整列させるために、前記集熱器をモータ駆動手段で調整できる、請求項１３に記載の太陽熱空気暖房装置。
【請求項１５】
前記集熱器は太陽熱吸収性材料から作製され、又は太陽輻射吸収材料でコーティングされ、
前記集熱器は、形状及び配置を維持できるよう、十分な剛性を有する材料で作製される、請求項１に記載の太陽熱空気暖房装置。
【請求項１６】
前記集熱器は、コンパクトな閉鎖された直列位置関係に配置できる、請求項１に記載の太陽熱空気暖房装置。
【請求項１７】
各前記集熱器の前記第１の側にチューブを設置し、
各前記チューブは隣接する前記集熱器上の隣接する前記チューブに接続して一連のチューブを形成し、
前記一連のチューブは、出口及び太陽熱空気暖房装置への入口を有し、
前記一連のチューブは、前記集熱器からの熱伝導及び前記空気流からの熱対流によって加熱される液体を運ぶ、請求項１に記載の太陽熱空気暖房装置。
【請求項１８】
太陽熱空気暖房モジュールであって
ａ）前記モジュール底部近傍に配置した空気インレット及び前記モジュール上部近傍に配置した空気アウトレット；
ｂ）そこから垂直に延伸する複数の円錐太陽熱集熱器を有する、後部フィルム；並びに
ｃ）前記インレットと前記アウトレットとの間で空気が漏れるのを防ぐために前記集熱器と接触する、前部フィルム
を備え、
前記空気は、前記入口に入ると、前記集熱器を通過して加熱された空気と混合され、その後前記出口に達する、前記太陽熱空気暖房モジュール。
【発明の詳細な説明】
【技術分野】
【０００１】
本発明は一般に太陽熱駆動暖房デバイスに関し、より詳細には輻射吸収集熱器を用いたモジュール式太陽熱駆動暖房デバイスに関する。
【背景技術】
【０００２】
商業的に最も実績のある太陽熱空気暖房システムは、ビルの外壁に設置されるトランスピレーション空気パネル（（ｔｒａｎｓｐｉｒｅｄ  ａｉｒ  ｐａｎｅｌｓ、即ちパネルの表面を通って空気が流動する）であり、これはビル暖房システムの新鮮な換気空気を予備加熱するためのものである。例えばＨｏｌｌｉｃｋによる米国特許第４７７４９３２号には、穴又はスリット等の穿孔で覆われ、ビルの南向きの壁に隙間を有して配置される、平坦な又は垂直方向に波打ったパネルが記載されている。太陽輻射はパネルの吸収性面を加熱し、ビル暖房システムのファンはパネルの外面に集まった、太陽熱で加熱された境界層の空気を、穿孔を通してパネル背後の空間に引き込み、続いて暖房システムの吸気口に引き込む。これはパネル面積が大きく、換気空気流量が多い場合のために設計されたシステムである。
【０００３】
周囲の風は、このシステムの効率を低下させる重大な因子である。穿孔を通るトランスピレーション空気流がパネル１平方フィートあたり約２立方フィート未満である場合、加熱された境界層の空気はパネル表面に集まり、風によって吹き飛ばされることがある。これは、システムの規模を市販及び住宅用に縮小するにあたって、パネル面積を小さくし、及び太陽熱で加熱された空気流量を少なくする必要があるため、制限因子となる。別の効率低下因子は、パネルを通常ビルの垂直な壁に設置するという事実に起因する。このように地面に対して９０°の角度になっていると、日による及び季節による太陽の軌道の角度（設置緯度に関する平均）に対して垂直にならない。よって、太陽輻射の一部はパネルに反射され、１日の太陽の軌道全体にわたって太陽の角度に対して垂直であるパネルと比較すると、パネル上への輻射の２０％〜２５％の損失を示す。
【０００４】
Ｈｏｌｌｉｃｋによる上記のトランスピレーション空気太陽熱暖房システムは、ビル換気暖房システム用の、商業的に成功した太陽熱空気暖房装置として実装されてきた。住居用及び小型製品市場において一般的な太陽光暖房システムは、太陽熱温水暖房装置のみである。太陽熱温水暖房システムもまた、複数の問題を有する。設置コストが高く、専門家による設置が必要であり、光熱エネルギ費が高い場所において補助金を得てさえ、このシステムからエネルギコスト節約に基づく経済的な見返りを得るには数年かかる。このような因子は、住居用市場で運用が試みられている太陽熱空気暖房システムにも同様に当てはまる。
【０００５】
Ｈｏｌｌｉｃｋによる米国特許第４７４４９３２号、Ｃｈｒｉｓｔｉａｎｓｅｎらによる米国特許第５６９２４９１号、及びＭｃＣｌｅｎｄｅｎによる米国特許第７６７７２４３号には、現行の非光沢トランスピレーション太陽熱（ｕｎｇｌａｚｅｄ  ｔｒａｎｓｐｉｒｅｄ  ｓｏｌａｒ，ＵＴＳ）空気暖房装置が開示され、これらは換気ファンの吸引側を用いて、周囲の新鮮な空気をトランスピレーション空気パネルの穿孔を通して熱吸収性表面に引き込む。これはまた、パネルの太陽輻射表面に集まった、太陽熱で加熱された境界層の空気も引き込む。新鮮な空気及び加熱された境界層の空気は、トランスピレーション空気パネルの背後の空間において混合される。これは単一パスシステムであり、加熱性能は、加熱された境界層の空気をＵＴＳパネルから吹き飛ばしてしまう周囲の風によって影響を受ける。
【０００６】
Ｈｕｍｍｅｌによる米国特許第４３２３０５４号、Ｄｏｈｅｒｔｙによる米国特許第７４３４５７７号、Ｍｉｑｕｅによる米国特許第４１５９７０７号、Ｔｅｌｋｅｓによる米国特許第４０３４７３６号、Ｒｙｌｅｗｓｋｉによる米国特許第６１０９２５８号、及びＢｏｒｓｔらによる米国特許第４０９０４９４号に開示されているような光沢トランスピレーション太陽熱（ｇｌａｚｅｄ  ｔｒａｎｓｐｉｒｅｄ  ｓｏｌａｒ，  ＧＴＳ）暖房装置は、上記と同様の方法で動作するが、光沢面を通して輻射伝達損失があるにも関わらず、より効率的である。これは、光沢面によって、非光沢のＵＴＳパネルの場合のように、周囲の風が加熱された境界層の空気をトランスピレーションパネル表面から吹き飛ばすのを防止できるためである。これらもまた単一パスシステムである。
【０００７】
ＵＴＳトランスピレーション空気パネルの多孔率もまた、システムの熱的性能に関して重要な因子である。ニュージーランドのオークランド大学機械工学部の研究「Ｕｓｅ  ｏｆ  Ｐｅｒｆｏｒａｔｅｄ  Ｍｅｔａｌ  Ｓｈｅｅｔｓ  ａｓ  Ｓｏｌａｒ  Ｃｏｌｌｅｃｔｏｒｓ  ｆｏｒ  Ｂｕｉｌｄｉｎｇ  Ｓｐａｃｅ  Ｈｅａｔｉｎｇ」（２００４年８月）は、最適な集熱器のパネルの多孔率は総表面積の０．２％〜０．４％であることを示している。北半球においては１．０％〜２．０％の多孔率のパネルを使用する。ファンの吸引速度の低下及び風速の上昇もまたＵＴＳ集熱器の効率に影響を与えることも分かった。
【０００８】
Ｄｏｈｅｒｔｙによる米国特許第７４３４５７７号は、空気流を段階的に加熱する、一連の固定配向角度の平坦な太陽熱集熱器（ｓｏｌａｒ  ｈｅａｔｅｄ  ｃｏｌｌｅｃｔｏｒｓ）を開示している。各集熱器の前縁部は前部光沢パネルと接触し、後縁部は後部パネルと接触する。空気流は集熱器の縁部から、各集熱器内部の、集熱器の長手方向に平行な一連の区画に入り、集熱器の熱伝導性によって加熱される。この空気流は各集熱器上において、次の集熱器のインレット（ｉｎｌｅｔ）への空気流への対流以外には、加熱された境界層の空気と直接接触しない。段階的に加熱された空気は、後続の角度付き集熱器の上部底面の下にも溜まり、ここでこの空気は後部パネルと接触し、空気流路から出る。これにより、集熱器内の空気流に底部の熱伝導による熱が加えられるものの、空気の混合による熱伝達には限界がある。
【０００９】
Ｍｉｑｕｅｌによる米国特許第４１５９７０７号、Ｔｅｌｋｅｓによる米国特許第４０３４７３６号、Ｒｙｌｅｗｓｋｉによる米国特許第６１０９２５８号、及びＢｏｒｓｔらによる米国特許第４０９０４９４号には、段階付き調整可能又は固定集熱器が開示されている。Ｒｙｌｅｗｓｋｉは、光沢面を有する透明な集熱器及び各集熱器と接触する後部パネルを開示しているが、新鮮な又は再循環する空気流は存在しない。Ｔｅｌｋｅｓ及びＭｉｑｕｅｌは段階付き集熱器を開示しているが、空気流は各段階を通過して光沢面と集熱器との間を移動できる。Ｂｏｒｓｔは穿孔付きルーバーの形状とした固定集熱器プレートを開示している。太陽輻射は傾斜した前面の穿孔付き表面にのみ当たり、Ｈｏｌｌｉｃｋのものと同様、太陽熱で加熱された境界層を空気流中に引き込む。これらの太陽熱空気暖房装置はまた、堅固な構成を有するものである。
【００１０】
住居用又は小型製品市場において成功した太陽熱空気又は温水暖房用製品は、大容積に；このような市場における様々な応用及び設置に適するよう可撓性かつモジュール式に；設置が簡素かつ容易に；輸送及び保管が容易に；住居用に適した魅力的な外観に；並びに高い太陽熱暖房効率及び短期間での経済的利益を有するように、製造できるものであるべきである。
【発明の概要】
【００１１】
モジュール式太陽熱暖房モジュール、及び空気又は液体又はこれら両方を太陽輻射で加熱する方法を提供する。モジュールは設置が簡素であり、保守がほとんど必要なく、制御の有無に関わらず遠隔操作できる。モジュールは異なる応用例に対して異なるサイズで構成でき、太陽の軌道の方向にほぼ対面するよう、垂直、水平又は角度付きの平面に設置できる。太陽熱暖房モジュールは、室内又はビル内部の暖房のために窓に掛けることができる。モジュールをビルの壁又は屋根に設置して、太陽熱で加熱された空気又は温水をビル暖房システムに供給できる。大型サイズのモジュール構成のための工業的応用例は、作物乾燥、温室暖房及び加熱プロセスである。不使用時には、保管のためにモジュールを巻き上げたり折り畳んだりすることができる。
【００１２】
太陽輻射集熱器モジュールは、太陽輻射を集める太陽輻射吸収表面を有する複数の集熱器である。集熱器は、太陽の季節による、及び緯度による軌道を追うように（自動又は手動で）調整可能であってよい。代替として、固定集熱器の実施形態ではこのような調整機能は不要であってよい。
【００１３】
デバイスの集熱器表面は、各集熱器において太陽輻射を集め、境界層の空気を加熱するように成形されるか又は穿孔される。モジュール式空気流ダクティング部品を太陽熱集熱器モジュールに設置し、これにより、対流又はファン手段によって空気流を集熱器モジュールに向ける。モジュール内の集熱器の配置は、加熱される空気流のために段階的に連続するようになっている。各集熱器において、太陽熱で加熱された境界層の空気を、前の集熱器の温度上昇に加える。モジュールを通る、再循環するビル内の又は外部の周囲空気流は、太陽熱で加熱された境界層の空気を各集熱器から吸収し、集熱器モジュールを通過するにつれて段階的に加熱される。モジュールを通る空気の循環は、周囲の新鮮な空気又は再循環するビル内の空気又はこれら両方の混合物を加熱するよう調整してよく、太陽熱で加熱された空気流をビル内へと又はビルから外に向ける。
【００１４】
透明な光沢面は集熱器モジュールを覆い、集熱器縁部において空気流を封止する。光沢面はモジュールの両面において透明とすることができ、これにより、太陽光がモジュールを通過して室内又はビル内に入ることができる。光沢面はまた、集熱器として機能する隆起した表面を有して実現してもよい。設置した太陽熱暖房デバイスは、更にモジュールを追加することによってサイズを増大させることができる。
【００１５】
太陽熱暖房モジュールの実施形態は、集熱器モジュールを通して液体を運ぶ配管を有する集熱器を有する。太陽輻射は空気及び液体の両方を加熱する。デバイスを通過する空気流は、液体に更なる熱を加える。
【００１６】
本発明は、モジュール式太陽熱暖房デバイス、及び空気又は液体又はこれら両方を太陽輻射で加熱する方法である。設置後、モジュールを除去又は追加することによって、デバイスの太陽熱暖房性能を低下又は増大させることができる。デバイスは設置が簡素であり、最低限の保守しか必要としない。
【００１７】
デバイスは、モジュール内の太陽に対面する又は太陽を追跡する整列された集熱器の輻射吸収性表面上の空気を加熱するために、太陽輻射を用いる。この表面で加熱された空気をここでは境界層の空気と呼ぶが、表面上でのその深さは、太陽輻射が蓄積されるにつれて、またこの空気の層を通って反射して戻るにつれて増大する。外部の周囲の新鮮な空気、再循環するビル内の空気、又はこれら両方の混合物の空気流の運動は、集熱器上の境界層の空気を掃き寄せ、空気流の温度上昇を生成する。トランスピレーション空気太陽熱集熱器の熱吸収表面上の、太陽熱で加熱された境界層の空気（太陽輻射によって生成された、集熱器の表面上で加熱された空気）を用いて、太陽熱暖房装置の空気流を、複数の集熱器を段階的に通過するうちに加熱できる。
【００１８】
整列された太陽輻射吸収集熱器；太陽に対面する第１の側にある前部透明フィルムと、これに対向する第２の側にある後部フィルムとの間に格納された集熱器；整列された集熱器それぞれの縁部と接触する前部及び後部フィルム（ここで空気流は第１のフィルムと第２のフィルムとの間の集熱器を通過し、空気流は各集熱器の第１の側の輻射吸収表面上の空気と混合され、混合された加熱された空気を隣接する集熱器へと運ぶ）；並びに空気流を加熱対象の空間へと流すためのダクトを含む、太陽熱空気暖房装置を提供する。
【００１９】
集熱器を回転させて太陽に対面させるために、歯車アセンブリを用いてよい。前部及び後部フィルムは可撓性であってよく、太陽熱集熱器を所定の位置に整列させて維持するための突出部を有する。
【００２０】
集熱器は、後部フィルムの表面に形成又は成形した複数の円錐突出部であってよい。代替として、各集熱器は太陽に対面する一連の先細フィンを有してよく、先細フィンは側壁表面領域を有し、集熱器は先細フィンにスロットを有し、これにより、集熱器を通して空気を移動させ、加熱された空気を集めることができる。
【００２１】
集熱器は概ね円筒形であってよい。代替として、集熱器の形状は、半円形に形成した薄い材料であってよく、集熱器は穿孔を有し、これによって集熱器を通して空気を移動させることができる。更なる代替として、集熱器は概ね平坦であってよく、開口を有し、これによって集熱器を通して空気を移動させることができ；また、前部フィルム及び後部フィルムが集熱器と接触するように後部フィルムから前部フィルムまでの間隔を調整できるようにしてよい。
【００２２】
太陽輻射に対面する集熱器の表面は、先細側部を有する一連の先細フィンを有してよい。集熱器は後部フィルムに取り付けてよく、後部フィルム平面上で枢動してよい。
【００２３】
集熱器は円筒形であってよく、また集熱器の長手方向軸上に、離間した複数の先細フィンを有してよく、これによってフィンと前部及び後部フィルムとの間の各集熱器を通して空気を移動させることができる。
【００２４】
集熱器は垂直方向に直列に配設してよく、また、太陽輻射に対する集熱器の長手方向軸の配向について集熱器を同時に調整できるよう、各集熱器を隣接する集熱器と機械的に接続してよい。
【００２５】
太陽に対する角度について集熱器を整列させるために、集熱器をモータ駆動手段で調整可能としてよい。集熱器は太陽熱吸収性材料から作製してよく、又は太陽輻射吸収材料でコーティングしてよく、また形状及び配置を維持できるよう、集熱器を十分な剛性を有する材料で作製してよい。
【００２６】
集熱器を、コンパクトな閉鎖された直列位置関係に配置することができる。
【００２７】
各集熱器の太陽輻射吸収表面にチューブを設置してよく、各チューブは隣接する集熱器上の隣接するチューブに接続して一連のチューブを形成し、この一連のチューブは、出口及び太陽熱空気暖房装置への入口を有し；この一連のチューブは、集熱器の太陽熱吸収表面からの熱伝導及び空気流からの熱対流によって加熱される液体を運ぶ。
【００２８】
太陽熱空気暖房モジュールは、モジュール底部近傍に配置した空気入口及びモジュール上部近傍に配置した空気出口；そこから垂直に延伸する複数の円錐太陽熱集熱器を有する、後部フィルム；並びに入口と出口との間で空気が漏れるのを防ぐために集熱器と接触する、前部フィルムを含んで提供され、空気は入口に入ると、集熱器のそばを通過して加熱された空気と混合され、その後出口に達する。
【図面の簡単な説明】
【００２９】
【図１Ａ】図１Ａは、本発明による太陽熱空気暖房デバイスのモジュールの実施形態を垂直に配置した状態の斜視図である。
【図１Ｂ】図１Ｂは、ビルトインファンを有するモジュールの実施形態の斜視図である。
【図２】図２は、図１Ａに示すモジュールの部分展開斜視図である。
【図３Ａ】図３Ａは、本発明によるモジュールの実施形態及びその中の集熱器の部分斜視図である。
【図３Ｂ】図３Ｂは、歯車を有する本発明による円筒形集熱器の部分斜視図である。
【図４Ａ】図４Ａは、本発明による集熱器の実施形態の断面図である。
【図４Ｂ】図４Ｂは、本発明による集熱器の別の実施形態の部分斜視図である。
【図４Ｃ】図４Ｃは、本発明による集熱器の別の実施形態の断面図であり、ここでは集熱器は先細フィンを有する。
【図４Ｄ】図４Ｄは、本発明による集熱器の別の実施形態の部分斜視図であり、ここでは集熱器は半円形状を有する。
【図４Ｅ】図４Ｅは、本発明による集熱器の別の実施形態の部分斜視図であり、ここでは集熱器は先細フィンを有する円筒形状を有する。
【図４Ｆ】図４Ｆは、図４Ｅの実施形態の、線Ｆ−Ｆに沿った断面図である。
【図４Ｇ】図４Ｇは、図４Ｆの実施形態の、線Ｇ−Ｇに沿った部分断面図である。
【図４Ｈ】図４Ｈは、複数の円錐部材を有する集熱器の代替実施形態の部分斜視図である。
【図５】図５は、本発明による太陽熱空気暖房モジュールの実施形態を水平に配置した状態の正面斜視図である。
【図６】図６は、本発明による太陽熱空気暖房モジュールの別の実施形態であり、ここでは各集熱器にチューブが取り付けられている。
【図７】図７は、部分的に分解した本発明の実施形態の斜視図であり、ここではフィルムが太陽熱集熱器を支持している。
【図８Ａ】図８Ａは、本発明によるモジュールの実施形態の展開斜視図であり、ここでは集熱器は後部パネルに固定されている。
【図８Ｂ】図８Ｂは、集熱器を詳細に示す、図８Ａの実施形態の部分図である。
【発明を実施するための形態】
【００３０】
図１Ａからわかるように、太陽熱集熱器モジュール１０（これはより大きな太陽熱集熱器デバイスの一部であってよく、又はそれ自体で太陽熱暖房デバイスとして機能してよい）は、外壁等の表面上に垂直に位置決めしてよい。モジュール１０は水平又は垂直配置で、及び太陽の軌道に対していずれの傾斜又は角度で作動できる。モジュール１０の幅、長さ及び厚さは、設置、空気流及び暖房性能要件に合うように調整可能である。
【００３１】
図１Ａに示すようなモジュール１０を、外部のダクティング（ｄｕｃｔｉｎｇ）及び排出（ｅｘｔｒａｃｔｉｏｎ）ファン（図示せず）に接続する。ダクトフード２０、２２をそれぞれ太陽熱集熱器モジュール１０の上端部１２及び下端部１４に設置し、新鮮な外気又はモジュール１０を通って再循環するビル内の空気を、ダクト若しくはその他の空気流路内に、ダクト若しくはその他の空気流路から外に向ける。モジュール１０はフード２０に取り付けたフック３０によって壁若しくは天井から吊り下げられ、又は代替として、固定用具を用いて壁若しくは屋根に直接設置してよい。ダクトフード２０、２２に取り付け可能なコネクタ４０を用いてモジュールを互いに連結することにより、より多くの集熱器モジュールを追加できる。加熱されていない新鮮な又は再循環する空気流の方向は、この太陽熱空気暖房モジュール１０内で反転できる。モジュール１０は整列された複数の太陽熱集熱器８０を含む。
【００３２】
図１Ｂからわかるように、ビルトイン電気ファン５０をダクトフード２０に組み込んでよい。ビルトインファン５０のための電力は、光電池パネル又はその他の電力源から供給して良い。図１Ｂに示す実施形態では、空気流インレット上のダクトフード２２は、バッフル（図示せず）を有する調整可能な吸気口等の空気インレット６０を有し、これは内部空気又は外部空気又はこれらの混合物用に設定できる。
【００３３】
バッフルは空気インレット６０の一部というよりも、空気流を制御し、ビルの暖房のために外部の新鮮な空気又は内部で再循環する空気又はこれらの混合物を加熱するために、空気ダクト内において調整可能な双方向バッフルであってよい。本発明のこの実施形態では、モジュール１０を、新鮮な空気を室内に入れるために下側枠部分において数インチだけ開いている窓の内側に吊り下げてよい。インレット６０は太陽輻射側にあってよく、また部屋の内側に対面するよう位置決めしてよい。このモジュール１０内のバッフルは、両側のインレットを開く又は閉鎖して、外部の空気のみ、内部の空気のみ、又はこれらの混合物を室内に入れることができる手段を有する。これにより、新鮮な空気を室内に入れ、空気流を再循環させ、より良好な室内環境のために２つの空気源を混合するための手段が提供される。
【００３４】
図２に示すように、集熱器モジュール１０は、太陽に対面する側１８に透明な光沢面７０ｆを有し、太陽に背を向けた反対側１９に、透明な光沢面であっても不透明な面であってもよいパネル７０ｂを有する。光沢面７０ｆ及びパネル７０ｂは剛性であっても可撓性であってもよく、モジュール１０内の太陽熱集熱器８０を覆う（図２の切除部分参照）。図２に示す実施形態では、集熱器８０及び光沢面７０ｆは、ダクトフード２０、２２にそれぞれ取り付けた保持用ブラケット９０、９２に固定される。
【００３５】
図３Ａからわかるように、モジュール１０は、ほぼ平行に積み重なるように編成された複数の集熱器８０を含む。一部を図示した光沢面７０ｆは集熱器８０を覆う。集熱器８０には、モジュール１０内で使用可能な多数の異なる実施形態が存在する。集熱器の表面上の加熱された境界層の空気１８０として太陽輻射を捕集するために、各集熱器８０は吸収性コーティング又は材料及び色を有する。本発明の別の実施形態では、太陽輻射を表面上又はチューブ上に集中させるために、集熱器８０は反射性表面を有する。集熱器８０は金属、プラスチック又はその他の材料とすることができ、表面吸収性、材料の熱伝導性、及び表面の圧痕又は穿孔によって太陽輻射を保持する。
【００３６】
集熱器８０は、熱伝導性が低い様々な材料又は金属で作製してよく、太陽熱で加熱された境界層の空気を集めるための輻射吸収性コーティングを有してよい。集熱器８０の材料の重要な特徴は、形状及び太陽熱吸収性コーティングを維持できることである。例としては、金属、プラスチック、木、コンクリート、繊維、複合材料、更には紙が挙げられる。
【００３７】
積み重ねた複数の集熱器８０は静止位置に固定でき、又はこれらの表面の平面が太陽の角度に対して垂直となるように調整可能とすることができる。集熱器８０の調整手段は、モジュール１０内のすべての集熱器８０を同時に整列したまま調整するための、チェーン等を有する枢動式コネクタ１１０又はストラップ１２０を含む。
【００３８】
集熱器８０は、集熱器表面の太陽輻射を増大させ、季節効率を上昇させるために、手動又はモータ駆動手段によって水平又は垂直方向に太陽の運動を追跡できる。本発明のモデルにおいて使用したＮａｔｕｒａｌ  Ｒｅｓｏｕｒｃｅｓ  Ｃａｎａｄａ  Ｃｌｅａｎ  Ｅｎｅｒｇｙ  Ｐｒｏｊｅｃｔ  Ａｎａｌｙｓｉｓ  Ｓｏｆｔｗａｒｅにより、カナダのバンクーバー（北緯４９．２度）に配置した平坦プレート型集熱器モデルに関して、以下のような９ヶ月にわたる季節による推定性能が示されている。
【表１】
2014513262.tif 000003
【００３９】
集熱器の角度を太陽に垂直な緯度の角度に設定すれば、太陽熱空気暖房装置の季節効率は上昇する。モータ駆動追跡集熱器は、１日の太陽の軌道を追跡でき、また、垂直方向に固定された太陽熱空気暖房装置に比べて季節効率を３０％以上上昇させることができる。
【００４０】
集熱器８０はそれぞれ隣接する集熱器８０に接続され、側部レール８５の所定の位置に、第１の側ではヒンジ付きプレート１００、１１０を用いて、第２の側では可撓性ストラップ１２０又はその他の枢動式手段を介して固定される。
【００４１】
プレート１００、１１０、ストラップ１２並びに可撓性光沢面７０ｆ及び後部パネル７０ｂにより、モジュール１０を巻き上げる又は折り畳むことができ、これによって集熱器をコンパクトな、閉鎖された直列位置関係に配置することができる。従ってモジュール１０は運搬が可能となり、不使用時に容易に保管でき、また暖房が必要な場合に吊り下げることができる。また、モジュール１０は水平方向に整列してよく、一方で集熱器８０を垂直方向に整列させて水平方向の空気流を提供し、この場合窓又はビルの南向きの壁においてモジュール１０を横向きに巻き上げることができる。
【００４２】
図３Ｂに示すように、集熱器８０は円筒形であってよく、集熱器８０の端部８４に歯車１３０を有する。ケーブル、チェーン又はその他の手段を有する中間歯車１３５及び歯車１３０を用いて、集熱器８０の面８６の角度を、地平線より上にある太陽の角度に対してほぼ垂直に調整できる。角度調整は手動又はモータ駆動手段を用いて行うことができ、また太陽の軌道を追跡するためのセンサを用いることができる。本発明の他の実施形態では、モジュール１０内の集熱器８０は垂直に配置され、太陽の１日の軌道を方位に関して東から西へと追跡する。
【００４３】
各集熱器８０に接続された歯車１３０は、隣接する集熱器８０とは異なる配向に設定できる。これにより、異なる太陽の角度又は１日の間の異なる太陽の位置に関して、異なる暖房特性を有するモジュール１０が得られる。
【００４４】
図４Ａに示すように、集熱器８０ａは角度２００で太陽に面する先細フィン１４０を有してよい。フィン１４０は、太陽光線１５５に対してより多くの壁面をフィン１４０にもたらす、先細壁部１５０を有する。集熱器８０ａのこのような突出表面領域の面積は、集熱器８０ａの幅×長さの面積より有意に大きい。この突出表面領域は、フィン１４０の間の、及びフィン１４０の先細壁部１５０上の、加熱された境界層の空気１８０として太陽輻射を捕集する。スロット１７０により、ダクトフード２０又は２２から、及び集熱器８０ａを通して、新鮮な又は再循環する空気流１６０を入れることができる。空気流１６０が集熱器８０ａを通過すると、この空気流１６０は、先細壁部１５０上の加熱された境界層の空気１８０を捕える。境界層の空気１８０は空気流１６０と混合され、空気流１６０の温度が上昇する。
【００４５】
集熱器８０ａの先細フィン１４０により、集熱器８０ａの、太陽輻射に垂直な突出幅が増大する。太陽の角度に垂直な集熱器８０ａの角度に関係なく、空気流１６０をモジュール１０内に維持するために、ほぼ円形の断面形状は、前部光沢面７０ｆ及び後部パネル７０ｂに対して密着する。直径４インチ×長さ４８インチの集熱器８０ａでは、２３％の空気流領域を有する１．３３平方フィートの垂直平面領域が、太陽輻射で加熱された境界層の空気１８０のための突出領域を１１．５３平方フィート有する。
【００４６】
光沢面７０ｆは、加熱された境界層の空気１８０が周囲からの風によって集熱器８０ａから吹き飛ばされるのを防止する。前部光沢面７０ｆ及び後部パネル又は光沢面７０ｂは、各集熱器８０ａと接触し、これによって加熱される空気流１６０を、各集熱器８０ａを順次通るような方向に向け、こうして空気流は集熱器８０ａを通って空気インレットから空気アウトレットまで移動する。移動する空気流１６０は各集熱器８０ａ上の加熱された境界層の空気１８０を集め、これと混合される。モジュール１０をビルの壁に設置する場合、空気流１６０はまた、モジュール１０の背後の壁を通してビルの熱損失をも捕える。この熱損失は、断熱されていないビルにおいては相当な量となり得る。
【００４７】
本発明のこの実施形態では、前部光沢面７０ｆ及び後部パネル又は光沢面７０ｂはそれぞれ各集熱器８０ａの縁部１９０ｆ及び１９０ｂと密着し、空気流１６０を各集熱器８０ａを通る方向に向ける。モジュール１０の前部光沢面７０ｆ及び後部パネル７０ｂ上に透明な光沢面がある場合、これによって、集熱器８０ａ上の境界層の空気１８０を太陽輻射で加熱でき、更にモジュール１０の背後の室内又は包囲空間内に光を通過させることができる。不透明又は暗色の輻射吸収性表面を有する後部パネル７０ｂを用いると、各モジュール１０内において、より多くの加熱された境界層の空気１８０が空気流１６０と混合される。
【００４８】
水平又は垂直に配設される集熱器８０が円筒形である、本発明のこのような実施形態では、集熱器の外周は、フィン１４０又は全部光沢面７０ｆと接触する別の表面フィン、及び後部パネル７０ｂと接触する集熱器８０の別の部分１９０ｂを有する。円筒形集熱器８０を太陽の角度に垂直な、最も効率のよい位置へと回転させる際、密着は維持される。
【００４９】
平坦な集熱器８０を有する実施形態では、太陽に対する回転角度を設定した後、集熱器の縁部１９０ｆ、１９０ｂを密着させて空気流１６０を密閉するために、モジュール１０の光沢面／パネル縁部７０ｆ、７０ｂの間の距離を狭める又は広げることにより、前部光沢面７０ｆと後部パネル７０ｂとの間の距離を調整する。
【００５０】
この構成の別の実施形態では、集熱器８０を後部フィルム７０ｂに取り付け、太陽に対して垂直な角度を調整するためにチェーン又はその他の手段を各集熱器８０に接続してよい。
【００５１】
空気流１６０の方向は反転させてよい。しかしながら典型的には、空気流１６０は熱対流と同一方向に向いている。
【００５２】
図４Ｂに見られるように、集熱器８０ｂは実質的に二次元的構成であってよい。この構成では、集熱器８０ｂの面８５は太陽に対して角度２００を有し、空気流１６０は集熱器８０ｂのスロット１７０（又は穿孔）を通過し、これによって集熱器表面８５上の加熱された境界層の空気１８０を捕える。
【００５３】
図４Ｃに見られるように、集熱器８０ｃは、太陽輻射に対してより大きな表面積を曝すための側部１５５を有する先細フィン１４６を有する平坦な形状に押出成形又は鋳型成形してよい。空気流１６０は集熱器の穿孔１７０を通って垂直に流れ、加熱された境界層の空気１８０と混合される。集熱器８０ｃを調整して太陽に対する角度を角度２００とした後、光沢面７０ｆ及び後部パネル又は光沢面７０ｂを、光沢面７０ｆ、７０ｂが各集熱器８０ｃとそれぞれ１９０ｆ及び１９０ｂにおいて会合及び密着するように手動又は自動手段で調整し、これによって各集熱器８０ｃを段階的に通過する方向に空気流１６０を向け、空気流の迂回を無くす。
【００５４】
図４Ｄに示すように、集熱器８０ｄは、太陽に向かって配向された放物線１６７を含む開放断面１６５を有する半円形状に形成してよい。穿孔１７０により、空気流１６０を集熱器８０ｄを通って流し、加熱された境界層の空気１８０と混合することができる。集熱器８０ｄの中空構造によって太陽輻射が側壁１８５に反射される。集熱器８０ｄのこのような形状は、集熱器を積み重ねた構成においてある角度に固定してよく、又は手動若しくはモータ駆動手段によって太陽の角度を追跡してよい。
【００５５】
集熱器８０に形成された中央部分２０５は、水などの液体を加熱するために集熱器８０ｄを通って延伸するチューブライン２１０を保持することもできる。この実施形態では、太陽熱空気暖房デバイス１０は水と空気を同時に加熱できる。各集熱器８０ｄはチューブ２１０内の液体に、対流又はファンによって動く加熱された空気流１６０からより多くの熱電導を加える。
【００５６】
図４Ｅ、４Ｆ及び４Ｇに見られるように、モジュール１０で使用するための集熱器８０ｅの別の実施形態は、集熱器８０ｅの外周面から突出する一連の円形先細フィン１４５を有する三次元円筒形太陽熱集熱器であり、これによって表面領域１５０の面積は、集熱器８０ｅの長さ×直径で構成される面の面積より大きくなる。集熱器８０ｅの利点は、日の出から日没までの１日の間の太陽の角度に関わらず、静止時に同一の表面領域を太陽に対して曝すことである。集熱器８０ｅのフィン１４５を通る新鮮な又は再循環する空気流１６０は、フィン１４５の間に閉じ込められた加熱された境界層の空気１８０を捕える。集熱器８０ｅの、太陽と反対側の領域２２０は、太陽の角度２００に応じて変化する。
【００５７】
集熱器８０ｅの形状及び表面テクスチャにより、太陽に垂直な集熱器８０ｅの突出した表面領域は増大し、また太陽熱暖房装置の空気流１６０と混合するための加熱された境界層の空気１８０の体積も増大する。
【００５８】
集熱器の軸に沿って離間し、かつこれに垂直である集熱器８０ａ及び８０ｅのフィン１４０、１４５により、地平線より上にある太陽のいずれの角度において、静止した円形の集熱器８０ａ、８０ｅの、太陽に垂直に対面する平面は、集熱器の中心の投影領域より小さい同一の先細フィン領域となる。集熱器のフィン１４０、１４５を通る空気流１６０は、フィン１４０、１４５上の、太陽熱で加熱された境界層の空気１８０と混合される。
【００５９】
集熱器８０ａ及び８０ｅ等の一連の静止した水平な集熱器８０を用いて、地平線より上にある太陽の１年間の季節による角度を追跡できる。静止した垂直配置の円筒形集熱器８０を積み重ねた構成は、東から西への太陽の１日の運動を追跡できる。従って、集熱器の角度を太陽輻射に垂直に変化させるための手動又はモータ駆動手段は、集熱器の効率にとって不要である。
【００６０】
図４Ｈは集熱器８０ｆの実施形態を示し、ここで集熱器８０ｆの表面は、前部フィルム７０ｆ及び後部パネル７０ｂと接触する複数の円錐体２９０を含む。円錐体２９０は、太陽輻射吸収材料から作製され、及び／又は太陽熱吸収コーティングを有する。空気流１６０は円錐体２９０を通過し、太陽からの太陽熱を吸収する。
【００６１】
水平に配置したモジュール１０を図５に示す。この実施形態では、集熱器８０は光沢面７０ｆ内においてトラック（ｔｒａｃｋ）２３０から垂直に吊り下げられる。インレットダクト２４０は、空気流１６０を集熱器を通してアウトレットダクト２５０へと水平に向ける。
【００６２】
東から西への太陽の１日の軌道を追跡するために集熱器８０をモータ駆動でき、又は集熱器８０ｅのように集熱器８０は静止した集熱器とすることができ、太陽輻射を集めるためにモジュール１０内に配置される。代替として、不使用時に、モジュール１０の一方の端部にある巻取りコンテナ（図示せず）まで、上側トラック２３０に沿った方向に集熱器８０を引っぱることにより、集熱器８０を窓のカーテンのように開閉できる。
【００６３】
水又はその他の液体を加熱するために使用できる本発明の実施形態を、図６に示す。平坦な集熱器８０それぞれにチューブ２６０を取り付け、固定手段又は旋回手段によって、これを隣接する集熱器８０上のチューブ２６０に接続する。集熱器８０をチューブ２６０上の前部光沢面７０ｆの背後に設置し、手動又はモータ駆動手段によって太陽の角度に対して集熱器８０を枢動及び調整する。インレット２７０を通って入る液体と空気流１６０とがモジュール１０内で同一方向に流れる場合、液体がアウトレット２８０に達するまで、加熱された空気流１６０はチューブ２６０内の液体に熱を与え、このアウトレット２８０は水の流れを断熱貯蔵タンク（図示せず）に向けてよい。こうしてモジュール１０は水を加熱でき、日中この液体を断熱タンク内に貯蔵できる。夜間には貯蔵タンク上のポンプによってモジュール１０を通して熱水を送り出し、モジュール１０内のビル内の再循環空気流はチューブ２６０から熱を捕えることができ、夜間にビル暖房を提供できる。
【００６４】
チューブ２６０は集熱器８０に隣接するチューブ２６０と、隣接する集熱器８０上のチューブ２６０との間に、剛性の、回転可能な、又は可撓性の接続を有することができる。各段階の集熱器８０は、集熱器８０の面を太陽に垂直な角度へと回転させるための軸としてこのチューブ２６０を使用できる。チューブ２６０はまた、集熱器８０が回転する際にモジュール１０内で移動する、剛性接続ラインとすることもできる。
【００６５】
集熱器８０は、集熱器８０表面上の、太陽熱で加熱された境界層の空気１８０の熱を、熱伝導によって金属チューブ２６０に伝達する。また、前の集熱器８０からの加熱された空気流１６０は、更なる熱対流及び伝導熱をチューブ２６０及びチューブ２６０内を流れる液体に伝達する。加熱された空気流１６０及びチューブ２６０内の液体流は一般に、同一方向に移動して温度を上昇させる。
【００６６】
夏期においては、加熱された空気をビルの外にダクトを通して排出できる。別の実施形態では、貯蔵タンクからの加熱された液体を、モジュール１０を通して再循環させて集熱器８０に熱を伝達して戻し、これによって夜間又は曇天の日中に、再循環空気による暖房を室内又はビルに提供する。
【００６７】
図４Ｄに示すように、穿孔を設けた円形金属集熱器８０ｄをチューブ２６０にクリップ留めしてよい。チェーン又はその他の手段を用いて集熱器をチューブ上で回転させることにより、太陽に対する集熱器８０ｄの角度を調整できる。
【００６８】
図７に示すように、各集熱器８０ｅの対向する側にそれぞれ接触するフィルム７０ｆ、７０ｂは剛性であってよく、太陽熱集熱器８０を段階的に支持するよう形成又は成形してよい。フィルム７０ｂ及び／又は７０ｆを、各集熱器８０ｅを保持して位置決めするよう形成してよい。別の実施形態では、集熱器８０をフィルム７０ｆ又は７０ｂ内に直接成形又は形成できる。太陽輻射は前部フィルム７０ｆを通過して、各集熱器８０ｅ上の境界層の空気１８０を加熱する。空気流１６０はフィルム７０ｂ又は７０ｆのインレットに入り、太陽熱で加熱された空気１６０をフィルム７０ｆ又は７０ｂのアウトレットへと送る。前部及び後部に形成したフィルム７０ｆ、７０ｂは集熱器８０ｅの縁部の周囲に密着する。空気流を増大させるために、ファン５０をアウトレットに追加できる。
【００６９】
図８Ａ及び８Ｂはモジュール１０の実施形態を示し、ここで後部フィルム７０ｂは、成形又は形成した複数の円錐体２９０（図４Ｈを参照して上述したものと同様）を含み、この円錐体２９０は太陽輻射吸収材料から作製され、及び／又は太陽熱吸収コーティングを有し、フィルム７０ｂの表面から突出している。入口２９２から入って来る空気流１６０は、出口２９４に達するまで、太陽輻射を境界層の空気１８０として円錐体２９０上で吸収する。
【００７０】
図８Ｂ（及び４Ｈ）に示す集熱器は円錐形、円錐台形、四角錐形又は別の、先端より大きな面積を有する底部を有する先細形状であってよい。
【００７１】
モジュール１０はモジュール式であり、空気ダクト、ファンダクトを有して使用でき、また異なる用途のために異なるサイズに集熱器を積み重ねた構成として使用できる。従って、設備の太陽熱で加熱される表面を低コストで増減できる。典型的な実施形態では、モジュール１０の構成要素は、太陽熱空気暖房装置を設置要件に適合させるにあたって可撓性を備える。モジュール１０の幅は窓、ドア、及びその他の開口部又は壁への設置に適するようにサイズ決定できる。モジュール１０の長さは、集熱器８０を除去又は追加することによって短縮又は延長できる。コネクタ４０を用いてモジュール１０を連結することにより、表面積及暖房性能を増大させることができる。集熱器アセンブリ及び集熱器の形状は、暖房性能を増減させるために変更可能であり、又はより多くの光が太陽熱空気暖房装置を通過できるようにするために離間させることができる。
【００７２】
ダクトフード土台（ｄｕｃｔ  ｈｏｏｄ  ｍｏｕｎｔｉｎｇｓ）２０、２２を用いて、太陽熱集熱器を積み重ねた構成を空間及び大型マルチダクトＨＶＡＣシステムに接続できる。ダクトフード２０、２２は、太陽熱空気暖房装置の集熱器モジュール１０を通過する空気流１６０を生成するための一体型ファン５０を有してよい。ファンダクトフード２０を太陽熱集熱器モジュールのインレット／アウトレット開口部２９２、２９４に設置して、空気流１６０の方向を変化させることができる。
【００７３】
本発明によるモジュール１０の利点は、太陽輻射を吸収するトランスピレーション太陽熱空気パネルが一連の水平又は垂直配置の吸収性集熱器８０であり、新鮮な又は再循環する空気１６０は集熱器８０を通して引き込まれ、表面の太陽熱で加熱された境界層の空気１８０と混合されることである。これは、現行のＵＴＳ及びＧＴＳ太陽熱空気暖房装置とは逆の空気流方向である。
【００７４】
加熱された境界層の空気１８０の深さは、これが集熱器８０の表面上で静止状態であるため増大する。穿孔によって空気流の体積が制限されなくなるため、加熱された境界層の空気１８０と空気流１６０との混合はより良好となる。空気流１６０が一連の集熱器８０を通って移動する際、各集熱器８０において、太陽熱で加熱された境界層の空気１８０によってより多くの熱が加えられる。垂直に組み立てた光沢面で囲まれた、太陽に対して垂直になるよう４９°に角度調整された２３個の平坦な水平集熱器８０ｂを有する４フィート×８フィートの太陽熱空気暖房装置を用いた本発明の実験では、３．７５インチ×４８インチの各集熱器は、集熱器の総面積２８．７５平方フィートのうち２４％の正味面積の開口部（ｆｒｅｅ  ａｒｅａ  ｏｐｅｎｉｎｇｓ）を有する。この実験は、２０１１年１月１９日にカナダのバンクーバー（北緯４９．２°）で行われた。午後１時３０分の時点で計測された、周囲の、即ち太陽熱暖房装置が取り込む温度は１７．５℃（６３．５°Ｆ）であり、太陽熱空気暖房装置のアウトレットの温度は２４．９℃（７６．８°Ｆ）であった。天候は部分的に雲がかかった晴れであり、モニタ読み取り時には部分的に晴れていた。測定された直径５インチのインレット及びアウトレットダクトからのアウトレット空気流は、１分に１４立方フィートであった。循環ファンがないため、これは対流による空気流であった。
【００７５】
この実験は、本発明の上記実施形態において述べたように、モジュール内の平坦な又はある形状の吸収集熱器８０が、複数の利点を提供することを示した。正味面積が大きいことにより空気抵抗が小さくなり、太陽輻射による加熱の増加に従って増加するモジュール１０を通る対流空気流１６０がもたらされる。本発明は対流を用いることにより、電気ファンを使用せずに動作できる。ファン５０を用いると、増大する太陽熱の温度によって全体の対流及びファン５０の空気流１６０の流量が増加する。太陽熱の温度が低下すると、空気流１６０の総流量は低下する。
【００７６】
上述の実施形態は、本発明を明確に理解するための例として挙げたものである。当業者は、
添付の請求項で定義する本発明の範囲内にある限りにおいて、上述の実施形態に対して改変、修正及び変更を施してよいことを理解するであろう。
【図１Ａ】
2014513262.tif 000004
【図１Ｂ】
2014513262.tif 000005
【図２】
2014513262.tif 000006
【図３Ａ】
2014513262.tif 000007
【図３Ｂ】
2014513262.tif 000008
【図４Ａ】
2014513262.tif 000009
【図４Ｂ】
2014513262.tif 000010
【図４Ｃ】
2014513262.tif 000011
【図４Ｄ】
2014513262.tif 000012
【図４Ｅ】
2014513262.tif 000013
【図４Ｆ】
2014513262.tif 000014
【図４Ｇ】
2014513262.tif 000015
【図４Ｈ】
2014513262.tif 000016
【図５】
2014513262.tif 000017
【図６】
2014513262.tif 000018
【図７】
2014513262.tif 000019
【図８Ａ】
2014513262.tif 000020
【図８Ｂ】
2014513262.tif 000021
【国際調査報告】
2014513262.tif 000022
2014513262.tif 000023
2014513262.tif 000024